(57)【要約】 【課題】安全性の高い蝶番を、強度的に安定したものとして構成できると共に、眼鏡デザインの豊富化に寄与し得る球形状蝶番を提供する。【解決手段】球状体５に割り溝１５を設ける。割り溝１５に板状体７が挿入されると共に、球状体５の上下の極点を通る止孔に保持された枢軸９で両者が枢着されて、板状体７が枢軸９の軸線回りに回動可能である。板状体７の回動状態の如何によらず、板状体７の縁部が球状体５の外面から突出しない。球状体の外面には、割り溝１５を避けてヨロイ２がプレス成形により一体に連設されており、又板状体７には、テンプル６がプレス成形により一体に連設されている。【選択図】  図３
0003105590.tif 000002
【実用新案登録請求の範囲】
【請求項１】
球状体の後部の赤道部分において、前記球状体の半径よりも大なる溝深さを有する割り溝が設けられ、該割り溝を形成する上下の半球状の支持片には、上下の極点を通る止孔が孔心を共通にして設けられてなり、且つ、前記球状体の外面には、前記割り溝を避けてレンズ側の連結片がプレス成形により一体に連設されてなり、又、前記割り溝に挿入される板状体に、前記止孔と孔心を共通にして挿通孔が設けられると共に、該板状体にはテンプルがプレス成形により一体に連設されてなり、該板状体が前記割り溝に挿入されると共に上下の支持片の止孔に保持された枢軸が前記挿通孔に挿通されることにより、テンプルが展開状態と折畳み状態を取り得るように該板状体が前記枢軸の軸線回りに回動可能とされており、又前記板状体の回動状態の如何によらず、該板状体の縁部が前記球状体の外面から突出しないことを特徴とする眼鏡の球形状蝶番。
【請求項２】
球状体の前部の赤道部分において、前記球状体の半径よりも大なる溝深さを有する割り溝が設けられ、該割り溝を形成する上下の半球状の支持片には、上下の極点を通る止孔が孔心を共通にして設けられてなり、且つ、前記球状体の外面には前記割り溝を避けてテンプルがプレス成形により一体に連設されてなり、又、前記割り溝に挿入される板状体に、前記止孔と孔心を共通にして挿通孔が設けられると共に、該板状体にはレンズ側の連結片がプレス成形により一体に連設されてなり、該板状体が前記割り溝に挿入されると共に上下の支持片の止孔に保持された枢軸が前記挿通孔に挿通されることにより、テンプルが展開状態と折畳み状態を取り得るように該球状体が前記枢軸の軸線回りに回動可能とされており、又該球状体の回動状態の如何によらず、前記板状体の縁部が該球状体の外面から突出しないことを特徴とする眼鏡の球形状蝶番。
【請求項３】
前記ヨロイ及び／又はテンプルには、前記球状体の周辺に球状部がプレス成形により一体に設けられていることを特徴とする請求項１記載の眼鏡の球形状蝶番。
【請求項４】
前記ヨロイ及び／又はテンプルには、前記球状体の周辺に球状部がプレス成形により一体に設けられていることを特徴とする請求項２記載の眼鏡の球形状蝶番。
【考案の詳細な説明】
【技術分野】
【０００１】
本考案は、ヨロイにテンプルを開閉可能（折畳み可能）に枢着してなる眼鏡の球形状蝶番に関するものである。
【背景技術】
【０００２】
ヨロイ等のレンズ側の連結片にテンプルを開閉可能に枢着してなる従来の眼鏡の蝶番ａは、通常、図２２に示すように、レンズ部ｂに連結されるヨロイｃの後端とテンプルｄの前端に夫々蝶番片ｅ，ｆをロウ付すると共に、該蝶番片ｅ，ｆを噛み合わせ且つ両者をビスｇにより連結してなるものであった。
【０００３】
しかしながら、かかる従来の蝶番は、ロウ付工程を必須としたために、蝶番構成上の作業能率が悪い問題があったばかりか、蝶番片がロウ離れしたり、ロウ付時の高熱によって蝶番片の取付け部が鈍って蝶番の強度低下を招く恐れもあった。
【０００４】
特に細身のテンプルを対象とする場合は、上下幅の小さい小型蝶番片を製作しなければならないといった製作上の困難さがありコスト上昇を招く問題があった他、ロウ付面積が小さいためにそのロウ付に困難が伴う問題もあった。その上、蝶番片の軸受部が薄肉であるためにその付け根部分が損傷し易く、蝶番の強度が持たないという問題があった。更に、ロウ付面積が小さいために、前記したロウ離れや材料の鈍りに伴う蝶番の強度低下の問題がより大きかった。
【０００５】
加えて、かかる従来の蝶番によるときは、図２３に示すようにテンプルｄを折り畳んだ際に、合口ｈが開くことになり、前記ヨロイｃの後端のエッジｊとテンプルｄの前端のエッジｋが生じて危険であった。
【０００６】
更に加えて、従来のこの種の蝶番は、専らヨロイとテンプルとの枢着構造を構成する機能だけを有するに止まり、眼鏡の蝶番を意識させやすく、ファッション性を重視した眼鏡においては蝶番が邪魔になって眼鏡デザインが非常に制約される問題があった。
【特許文献１】実開平７−２６８２４号公報（２頁、図９）
【考案の開示】
【考案が解決しようとする課題】
【０００７】
本考案は、かかる従来の問題点に鑑みて開発されたものであり、従来のようなロウ付に伴う技術上や作業上の困難さが解消され、強度的に安定した蝶番を構成できるばかりか、安全性の高い蝶番構造を構成でき、更に、蝶番を眼鏡デザインの一部に違和感無く組み込むことができて眼鏡デザインの豊富化を達成し得る眼鏡の球形状蝶番の提供を課題とするものである。
【課題を解決するための手段】
【０００８】
前記課題を解決するため本考案は以下の手段を採用する。
即ち本考案に係る眼鏡の球形状蝶番は、球状体の後部の赤道部分において、前記球状体の半径よりも大なる溝深さを有する割り溝が設けられ、該割り溝を形成する上下の半球状の支持片には、上下の極点を通る止孔が孔心を共通にして設けられてなり、且つ、前記球状体の外面には、前記割り溝を避けてレンズ側の連結片がプレス成形により一体に連設されている。又、前記割り溝に挿入される板状体に、前記止孔と孔心を共通にして挿通孔が設けられると共に、該板状体にはテンプルがプレス成形により一体に連設されてなり、該板状体が前記割り溝に挿入されると共に上下の支持片の止孔に保持された枢軸が前記挿通孔に挿通されることにより、テンプルが展開状態と折畳み状態を取り得るように該板状体が前記枢軸の軸線回りに回動可能とされており、又前記板状体の回動状態の如何によらず、該板状体の縁部が前記球状体の外面から突出しないことを特徴とするものである。
【０００９】
この場合、前記ヨロイ及び／又はテンプルには、前記球状体の周辺に球状部がプレス成形により一体に設けられたものとして構成するのがよい。
【００１０】
又本考案に係る眼鏡の球形状蝶番の他の態様は、球状体の前部の赤道部分において、前記球状体の半径よりも大なる溝深さを有する割り溝が設けられ、該割り溝を形成する上下の半球状の支持片には、上下の極点を通る止孔が孔心を共通にして設けられてなり、且つ、前記球状体の外面には前記割り溝を避けてテンプルがプレス成形により一体に連設されている。又、前記割り溝に挿入される板状体に、前記止孔と孔心を共通にして挿通孔が設けられると共に、該板状体にはレンズ側の連結片がプレス成形により一体に連設されてなり、該板状体が前記割り溝に挿入されると共に上下の支持片の止孔に保持された枢軸が前記挿通孔に挿通されることにより、テンプルが展開状態と折畳み状態を取り得るように該球状体が前記枢軸の軸線回りに回動可能とされており、又該球状体の回動状態の如何によらず、前記板状体の縁部が該球状体の外面から突出しないことを特徴とするものである。
【００１１】
この場合、前記ヨロイ及び／又はテンプルには、前記球状体の周辺に球状部がプレス成形により一体に設けられたものとして構成するのがよい。
【考案の効果】
【００１２】
本考案は以下の如き優れた効果を奏する。
(1) 本考案に係る球形状蝶番は、レンズ側の連結片がプレス成形により一体に連設された球状体と、テンプルがプレス成形により一体に連設された板状体相互を枢軸により回動可能に枢着し、或いは、テンプルがプレス成形により一体に連設された球状体と、レンズ側の連結片がプレス成形により一体に連設された板状体相互を枢軸により回動可能に枢着する構成を採用して、テンプルが折畳まれた状態と展開状態との間で回動可能に構成しているため、従来のようなロウ付手段を用いることなく蝶番を構成できる。
従って、従来のようなロウ離れや、ロウ付に伴い材料が鈍る等の蝶番の強度低下を招く問題が解消され、然もロウ付に伴う技術上や作業上の困難さを解消できて、強度的に安定した蝶番を容易に構成できることになる。これによって、細身テンプルを対象とする場合においても必要な強度を確保できる。
【００１３】
(2) 又本考案に係る球形状蝶番は、テンプルの回動状態の如何によらず、板状体の縁部が球状体の外面から突出しないため、引っ掛かり部のない安全な蝶番を構成できることになる。
【００１４】
(3) 又本考案に係る球形状蝶番によるときは、蝶番が球形状を呈するために、一見して蝶番とは意識され難く、それ自体斬新な外観を呈して優れたファッション性を発揮する。
そして球形状蝶番であるために、大小の球状物やリング状物等の他の各種デザイン要素に違和感なく組み合わされてデザイン的な一体感を表現し易く、従来の眼鏡デザインの制約を取り除いて眼鏡デザインの豊富化を達成できる。
【実施例１】
【００１５】
図１〜３において本考案に係る眼鏡の球形状蝶番（以下球形状蝶番という）１は、チタンや羊白等の眼鏡素材として一般に使用されている金属素材を用いて構成されており、ヨロイ２としてのレンズ側の連結片３がプレス成形により一体に連設された球状体５と、テンプル６がプレス成形により一体に連設された板状体７相互が、枢軸９により回動可能に連結されている。該枢軸９は、本実施例においてはビス９ａとして形成されており、上面１０が円弧面に形成された頭部１１に円柱軸部１２が同心に設けられ、且つ該円柱軸部１２にネジ軸１３が同心に設けられている。
【００１６】
前記球状体５は、図３〜５に示すように、例えば直径が４．５ｍｍ程度の球状に形成されており、その後部の赤道部分において、左右に連続し且つ該球状体５の半径よりも大なる溝深さを有する、例えば１．３ｍｍ程度の溝幅を有する割り溝１５が設けられている。又、該割り溝１５を形成する上下の半球状の支持片１６，１７には、上下の極点を通る止孔１９，２０が孔心を共通にして設けられている。上の止孔１９は、前記ビス９ａの前記頭部１１と前記円柱軸部１２の上側部分２１を嵌め入れる段付き孔２２として形成されている。又、前記下の止孔２０は、全長に亘ってネジ孔２０ａとされている。前記ヨロイ２は本実施例においては、その後端２３が前記球状体５の外面５５の前端に、前記割り溝１５を避けてプレス成形により一体に連設されている。又、前端側の部分２５は楕円形状に屈曲された構成を有し、図２に示すように、その前端内側部に設けた凹部２６で、レンズ保持枠２７の外側部２９にロウ付される。なお前記割り溝１５は、プレス成形によって形成してもよいのであるが、本実施例においては切削加工により形成している。
【００１７】
又前記板状体７は、前記割り溝１５に挿入される、１ｍｍ程度の肉厚を有した偏平な板状に形成されており、前記止孔１９，２０と孔心を共通にして挿通孔３０が設けられている。該挿通孔３０は本実施例においては、図３〜４に示すように、下孔３１にその上下端側から嵌め込まれた上下のブッシュ３２，３３に設けられた通孔３４，３５によって形成されており、該挿通孔３０には前記円柱軸部１２の下側部分３６が挿通されている。そして前記テンプル６は本実施例においては、図１〜３に示すように、前記板状体７から後側に向けて徐々に径が小さくなる３個の球状物３７，３９，４０を具え、中央の球状物３９は稍下がっており、前端の球状物３７の前端が前記板状体７の後端に、プレス成形により一体に連設されている。そして、該テンプル６の後端側の部分は斜め下方に屈曲されて耳掛部４１とされ、モダン４２で被覆されている。
【００１８】
然して、前記構成の板状体７が、前記上下のブッシュ３２，３３が図６〜７に示すように装着された状態で前記割り溝１５に挿入されると共に、前記枢軸９の円柱軸部１２が、前記上の支持片１６の前記止孔１９の小径孔４３及び前記挿通孔３０に挿通され、前記ネジ軸１３が前記下の支持片１７の止孔（ネジ孔２０ａ）２０に螺合せしめられ、前記頭部１１が前記止孔１９の大径孔４５に嵌め入れられる。この状態で、前記上のブッシュ３２の上面４６が前記割り溝１５の上面４７に当接し且つ前記下のブッシュ３３の下面４９が前記割り溝１５の下面５０に当接し、これにより、前記テンプル６が前記ヨロイ２に対して展開状態（図８）と折畳み状態（図９）を取り得るように、該板状体７が前記枢軸９の軸線回りに回動可能となされている。そしてテンプル６が図８に示す展開状態においては、図５、図８に示すように、前記板状体７の後端部分の外側部としてのストッパ突部５１が、前記割り溝１５の溝底の外側部分５２と係合する。又、該板状体７の回動状態の如何によらず、該板状体７の縁部５３が前記球状体５の外面５５から突出しないようになされている。従って、テンプル６の回動状態の如何によらず蝶番の外形は球形状を呈し、従来のようなエッジが生じず安全である。
【００１９】
かかる蝶番構造を具える眼鏡は、テンプル６が展開した状態の側面視で、図１に示すように４個の球状物５６，３７，３９，４０が並んだ状態が得られる。この内の前端の球状物５６は、蝶番を構成する前記球状体５と前記板状体７との組み合わせではあるが蝶番を意識させにくく、どの部分に蝶番が組み込まれているのかが一見して分からない。このように球状体５は、その周辺に配置された他の３個の球状物３７，３９，４０に違和感なく組み込まれた状態にあり、全体として一体感を有する独特の眼鏡デザインを構成している。この場合、前記球状物５６，３７，３９，４０を例えば真珠色に着色することにより、真珠を連ねたような豪華な眼鏡デザインが得られる。
【実施例２】
【００２０】
図１０〜１３は、本考案に係る球形状蝶番１の他の実施例を示すものであり、テンプル６がプレス成形により一体に連設された球状体５と、ヨロイ２としてのレンズ側の連結片３がプレス成形により一体に連設された板状体７相互を、ビス９ａとしての枢軸９により回動可能に連結したものである。
【００２１】
該球状体５は前記と同様の構成を有しており、図１３〜１５に示すように、球状体５の前部の赤道部分において、該球状体５の半径よりも大なる溝深さを有する割り溝１５が設けられている。該割り溝１５は、プレス成形によって形成してよいのであるが、本実施例においては切削加工により形成している。該割り溝１５を形成する上下の半球状の支持片１６，１７には、上下の極点を通る止孔１９，２０が孔心を共通にして設けられている。該上の止孔１９は、前記ビス９ａの前記頭部１１と前記円柱軸部１２の上側部分２１を嵌め入れる段付き孔２２として形成されると共に、前記下の止孔２０は、全長に亘ってネジ孔２０ａとされている。又該球状体５の外面には、前記割り溝１５を避けてテンプル６がプレス成形により一体に連設されている。
【００２２】
又前記板状体７は、図１３〜１５に示すように、前記割り溝１５に挿入される偏平な板状に形成され、前記止孔１９，２０と孔心を共通にして挿通孔３０が設けられている。該挿通孔３０は、前記と同様にして上下のブッシュ３２，３３の装着によって形成されている。そして該板状体７の外側部５６には、前記ヨロイ２の後端部分が、その内面部５７でプレス成形により一体に連設されており、該ヨロイ２と板状体７とが一体化されている。又該ヨロイ２の前端内側部に設けた切欠部５８で、図１２に示すように、レンズ保持枠２７の外側部２９にロウ付される。該ヨロイ２は、その肉厚が前記板状体と同程度に小さく形成されており、従って、テンプル６が展開された状態の側面視（図１０）及び正面視（図１１）において、該ヨロイ２が、球状体５の赤道部分を横切り、土星の輪のような独特の外観を呈する。この場合、例えばヨロイ２と球状体５を異色に着色する。例えばヨロイ２を赤色に着色し、球状体５や板状体７を金色に着色する。
【００２３】
そして、該板状体７が前記割り溝１５に挿入されると共に、図１４に示すように、前記枢軸９の円柱軸部１２が、前記上の支持片１６の前記止孔１９の小径孔４３及び前記挿通孔３０に挿通され、前記ネジ軸１３が前記下の支持片１７の止孔（ネジ孔２０ａ）２０に螺合せしめられ、前記頭部１１が前記止孔１９の大径孔４５に嵌め入れられる。これにより、テンプル６が展開状態（図１６）と折畳み状態（図１７）を取り得るように該球状体５が前記枢軸９の軸線回りに回動可能となされている。そしてテンプル６が図１６に示す展開状態においては、図１５、図１６に示すように、前記板状体７の後端部分の外側部としてのストッパ突部５１が、前記割り溝１５の溝底の外側部分５２と係合する。又、該球状体５の回動状態の如何によらず、該板状体７の縁部５３が前記球状体５の外面５５から突出しないようになされている。従って、テンプル６の回動状態の如何によらず、蝶番の外形は球形状を呈し、従来のようなエッジが生じず安全である。
【実施例３】
【００２４】
図１８は、テンプル６がプレス成形により一体に連設されてなる球状体５と、ヨロイ２としてのレンズ側の連結片３がプレス成形により一体に連設された板状体７とを具える球形状蝶番１の他の実施例を示すものであり、該球状体５の前後に位置させて、連結片３とテンプル６の前端側に、該球状体５の周辺において該球状体５を挟むように、比較的小径の球状物５９，６０、６１，６２を含む楕円形環状部６３，６５が配置されている。この場合も、球状体５が蝶番を意識させにくく、どの部分に蝶番が組み込まれているのかが一見して分からず、全体として一体感を有する独特の眼鏡デザインを構成している。
【実施例４】
【００２５】
図１９〜２０は、レンズ６６の上縁部に装着される縁枠片６７の端部分としてのレンズ側の連結片３がプレス成形により一体に連設された球状体５と、テンプル６がプレス成形により一体に連設されてなる板状体７とを具える球形状蝶番１の他の実施例を示すものであり、球状体５が前記縁枠片６７に近接して設けられると共に、該球状体５から後側に稍間隔を置いて（球状物５の周辺に）、大小２個の球状物６７，６９が隣り合わせて設けられている。この場合も、球状体５が蝶番を意識させにくく、どの部分に蝶番が組み込まれているのかが一見して分からず、全体として一体感を有する独特の眼鏡デザインを構成している。
【実施例５】
【００２６】
本考案は、前記実施例で示したものに限定されるものでは決してなく、「実用新案登録請求の範囲」の記載内で種々の設計変更が可能であることはいうまでもない。その一例を挙げれば次のようである。
(1) 本考案に係る球形状蝶番は、レンズ側の連結片がプレス成形により一体に連設された球状体と、テンプルがプレス成形により一体に連設された板状体とを枢軸により回動可能に連結する構成を採用しており、或いは、テンプルがプレス成形により一体に連設された球状体と、レンズ側の連結片がプレス成形により一体に連設された板状体とを枢軸により回動可能に連結し、テンプルが折畳み状態と展開状態を取り得るように枢着する構成のものであれば、図２１に示すように、テンプル６及び連結片３が直線状を呈する如くシンプルに構成されることの他、該球形状蝶番１を、プレス成形によって一体に形成された球状物等の他のデザイン要素に組み合わせることができる。これらにより、蝶番を意識させにくい多様な眼鏡デザインを構成できる。
【００２７】
(2) 球状体と板状体相互を回動可能に枢着する前記枢軸９は、前記したビスの他、ピン等であってもよい。
【図面の簡単な説明】
【００２８】
【図１】本考案に係る球形状蝶番をその使用状態で示す側面図である。
【図２】その使用状態を示す斜視図である。
【図３】その分解斜視図である。
【図４】球状体と板状体の枢着状態を示す縦断面図である。
【図５】球状体と板状体の枢着状態を示す横断面図である。
【図６】板状体に設けられた挿通孔を示す斜視図である。
【図７】球状体と板状体を分解して示す一部断面平面図である。
【図８】球形状蝶番を、テンプルが展開状態で示す断面図である。
【図９】球形状蝶番を、テンプルが折り畳まれた状態で示す断面図である。
【図１０】本考案に係る球形状蝶番の他の態様をその使用状態で示す側面図である。
【図１１】その正面図である。
【図１２】その使用状態を示す斜視図である。
【図１３】その分解斜視図である。
【図１４】球状体と板状体の枢着状態を示す縦断面図である。
【図１５】球状体と板状体の枢着状態を示す横断面図である。
【図１６】球形状蝶番を、テンプルが展開状態で示す断面図である。
【図１７】球形状蝶番を、テンプルが折り畳まれた状態で示す断面図である。
【図１８】本考案に係る球形状蝶番のその他の実施例をその使用状態で示す側面図である。
【図１９】本考案に係る球形状蝶番のその他の実施例をその使用状態で示す側面図である。
【図２０】その正面図である。
【図２１】本考案に係る球形状蝶番のその他の実施例をその使用状態で示す斜視図である。
【図２２】従来の眼鏡用の蝶番を、テンプルが展開した状態で示す平面図である。
【図２３】従来の眼鏡用の蝶番を、テンプルが折り畳まれた状態で示す平面図である。
【符号の説明】
【００２９】
１  球形状蝶番
２  ヨロイ
３  連結片
５  球状体
６  テンプル
７  板状体
９  枢軸
１５  割り溝
１６  支持片
１７  支持片
１９  止孔
２０  止孔
３０  挿通孔
３７  球状物
３９  球状物
４０  球状物
５１  ストッパ突部
５３  板状体の縁部
５５  球状体の外面
【図１】
0003105590.tif 000003
【図２】
0003105590.tif 000004
【図３】
0003105590.tif 000005
【図４】
0003105590.tif 000006
【図５】
0003105590.tif 000007
【図６】
0003105590.tif 000008
【図７】
0003105590.tif 000009
【図８】
0003105590.tif 000010
【図９】
0003105590.tif 000011
【図１０】
0003105590.tif 000012
【図１１】
0003105590.tif 000013
【図１２】
0003105590.tif 000014
【図１３】
0003105590.tif 000015
【図１４】
0003105590.tif 000016
【図１５】
0003105590.tif 000017
【図１６】
0003105590.tif 000018
【図１７】
0003105590.tif 000019
【図１８】
0003105590.tif 000020
【図１９】
0003105590.tif 000021
【図２０】
0003105590.tif 000022
【図２１】
0003105590.tif 000023
【図２２】
0003105590.tif 000024
【図２３】
0003105590.tif 000025